(57)【要約】【課題】  振動などによる電気的接続の遮断を無くし、また、つまみねじの取り外しに際し、つまみねじで締め付けたばね座金や導電性爪座金の紛失を防止すること。【解決手段】  導電性部材１１と表面全域に絶縁塗膜が施された部材１２とを、ばね座金１６および導電性爪座金１５を介してつまみねじ１４で締め付け固定する導電性固定具であって、ばね座金１６と導電性爪座金１５をつまみねじ１４のつまみ１４ａとねじ山１４ｃ間の軸部１４ａに嵌入保持する。これにより、つまみねじ１４を締め付けるだけで導電性爪座金１５の爪１５ａが絶縁塗膜を突き破り部材１２に食い込み部材１１と部材１２との導電接続を確実にし、同時に部材１１と部材１２が機械的に固定され導電接続の遮断を防ぎ、つまみねじを取り外ずしても、ばね座金や導電性爪座金のつまみねじ１４からの脱落を防止することができる。【選択図】  図１
2007024212.tif 000002
【特許請求の範囲】
【請求項１】
表面全域に絶縁塗膜が施された部材と、前記部材の表面に導電性爪座金をあてがい導電性つまみねじの締め付けで他の導電性部材とを導電固定する導電性固定具において、前記つまみねじのつまみとねじ山間の軸部にばね座金と前記導電性爪座金とを嵌入保持してなることを特徴とする導電性固定具。
【発明の詳細な説明】
【技術分野】
【０００１】
本発明は、部材間を導電固定する導電性固定具に関するものである。
【背景技術】
【０００２】
例えば複数本の直管状の蛍光放電灯を並列に装着し、屋内の天井や壁面などに敷設する照明器具は普通に知られている。図２はこのような照明器具の一例の構成を示すもので、図２において、１は点灯回路部品などを収納する鉄などの金属製の照明器具本体、２は表面全域に絶縁塗膜（外面は白色塗膜）が施された鉄などの金属製の反射板、３は蛍光放電灯を保持通電するソケット、４は反射板２を照明器具本体１に固定する取り付けねじである。
【０００３】
照明器具は、照明器具本体１に、照明器具本体１の両側の端部に固定したソケット３を外部に導出して反射板２を当て、その反射板を取付けねじ４で照明器具本体１にねじ締め固定して完成される。このように構成された照明器具は、屋内の天井や壁面などに敷設するとき照明器具本体１が接地されるので、照明器具本体１に触れても感電する恐れはない。しかし、反射板２は表面全域に絶縁塗膜が施されているため、反射板２に対する接地は、反射板２のねじ挿通孔２ａの内周面と取付けねじ４との接触および取付けねじ４の照明器具本体１のねじ込み孔１ａとによるものであって、その接地は充分でなく、照明器具本体１内のたとえば電線が反射板２上に垂れ下がった場合には反射板２の電位を高め、反射板２に触れると感電する恐れがある。
【０００４】
この恐れを低減するために従来は、図３に示すように絶縁塗膜剥離用の爪５ａを有する導電性爪座金５を反射板２に当て、つまみ４ａを固着したねじ山４ｂを有する取付けねじ４で締め付けて反射板２を照明器具本体１に取り付けていた。この取付けでつまみ４ａを強く回すと爪５ａで絶縁塗膜を剥離し、取り付けと同時に導電性爪座金５および導電性の取付けねじ４を介して反射板２と照明器具本体１とが電気的に接続され、反射板２をより確実に接地することができる。
【０００５】
ところで、例えば清掃あるいは補修ため反射板２を照明器具本体１から取り外す場合がある。この場合、ねじ締めを緩めて取付けねじ４を取り外すこととなるが、このとき導電性爪座金５が脱落して紛失してしまうといった問題があった。また、振動などによってねじが緩んだ場合、電気的接続が遮断れてしまうといった問題があった。
【発明の開示】
【発明が解決しようとする課題】
【０００６】
本発明が解決しようとする課題は、部材と導電性爪座金と導電性のねじとの接触を確実に維持し、かつ、部材に締め付けたつまみねじを取り外しても、導電性爪座金を紛失することを防止し、斯かる問題を解消する点にある。
【課題を解決するための手段】
【０００７】
本発明は、表面全域に絶縁塗膜が施された部材と、前記部材の表面に導電性爪座金をあてがい導電性つまみねじの締め付けで他の導電性部材とを導電固定する導電性固定具において、前記つまみねじのつまみとねじ山間の軸部にばね座金と前記導電性爪座金とを嵌入保持してなることを特徴とする。
【発明の効果】
【０００８】
本発明に係る導電性固定具では、ばね座金と導電性爪座金とをつまみねじのねじ山より小径の軸部に嵌入保持するので、ねじ締め固定に際し、ばね座金により締め易く、かつねじの緩みを防ぎ導電性爪座金の爪は部材に食い込んだ状態を維持し、振動などによってねじが緩むことなく、かつ、導電性のねじ山の端部とが確実に接触する。また、部材に締め付けたつまみねじを取り外しても、ばね座金や導電性爪座金はつまみねじに保持したまま取り外せることができ、ばね座金や導電性爪座金を紛失することが無くなる。
【発明を実施するための最良の形態】
【０００９】
部材と導電性爪座金と導電性のねじとの接触を確実に維持し、かつ、部材に締め付けたつまみねじを取り外しても、導電性爪座金を紛失することを防止する目的を、ばね座金と導電性爪座金とをつまみとねじ山部間のねじ山よりも小径の導電性軸部に嵌入保持することにより実現した。
【実施例】
【００１０】
図１は本発明の実施例に係る導電性固定具の組立て図である。図１において、１１は照明器具本体などの導電性部材、１２は導電性部材の表面全域に絶縁塗膜が施された反射板などの部材、１４はつまみねじ、１５は導電性爪座金、１６はばね座金である。つまみねじ１４は導電性の軸１４ａの一端につまみ１４ｂが固着され、つまみ１４ｂから適宜の間隔を隔てて、軸の直径よりも大きい直径のねじ山１４ｃが形成されている。
【００１１】
導電性爪座金１５は、円環状の導電性金属板からなり、外周に切り込みを入れて、その切り込みから下方にほぼ直角に折り曲げて爪１５ａが形成されており、円環状の内径はつまみねじ１４のねじ山１４ｃの直径よりも小さく、ほぼつまみねじ１４の軸１４ａの直径とされている。そして、爪１５ａの先端を表面全域に絶縁塗膜が施された部材１２に当て、その導電性爪座金１５にばね座金１６を重ね、つまみねじ１４のねじ山１４ｃをばね座金１６と導電性爪座金１５および部材１２を貫通させて、つまみを回して導電性部材１１にねじ締め固定する。
【００１２】
このねじ締めで導電性爪座金１５の爪１５ａは部材１２の絶縁塗膜を突き破り、部材１２に食い込み、部材１２は導電性爪座金１５およびつまみねじ１４を介して部材１１と電気的に接続され、同時に部材１２は機械的に部材１１に固定される。また、ばね座金１６と導電性爪座金１５はつまみねじ１４のねじ山１４ｃを越えた小径の軸部１４ａに嵌め込まれ、つまみねじ１４を部材１１および１２から外してもばね座金１６と導電性爪座金１５をつまみねじ１４で保持される。なお、ばね座金１６と導電性爪座金１５は、事前につまみねじ１４のつまみ１４ａとねじ山１４ｃ間の軸部１４ａに嵌入保持するようにしてもよい。
【図面の簡単な説明】
【００１３】
【図１】本発明の実施例に係る導電性固定具の組立て図である。
【図２】照明器具の組立て斜視図である。
【図３】従来の導電性固定具の構成を示す説明図である。
【符号の説明】
【００１４】
１１  導電性部材
１２  表面全域に絶縁塗膜が施された部材
１４  つまみねじ
１４ａ  軸
１４ｂ  つまみ
１４ｃ  ねじ山
１５  導電性爪座金
１５ａ  爪
１６  ばね座金
【図１】
2007024212.tif 000003
【図２】
2007024212.tif 000004
【図３】
2007024212.tif 000005